(57)【要約】【課題】形状を高精度に測定することができると共に、耐久性を高めることができる寝具用形状測定装置を提供する。【解決手段】一実施形態に係る寝具用形状測定装置は、被検者の身体と枕及び敷き布団との間に介在する寝具用形状測定装置１である。寝具用形状測定装置１は、可撓性を有する第１ベース１６と、第１ベース１６の一方側に貼り付けられた硬質の複数の第２ベース１７と、第１ベース１６から見て第２ベース１７の反対側に位置しており、第１ベース１６の厚さ方向である方向Ｄ３から見て複数の第２ベース１７を跨ぐ位置に貼り付けられた複数の歪ゲージ１８と、複数の第２ベース１７に身体が載せられたときに、複数の歪ゲージ１８から枕２及び敷き布団３の形状データを取得するコンピュータと、を備える。【選択図】図４
2019056675.tif 000002
【特許請求の範囲】
【請求項１】
被検者の身体と寝具との間に介在する寝具用形状測定装置であって、
可撓性を有する板状の第１ベースと、
前記第１ベースの一方側に貼り付けられた硬質の複数の第２ベースと、
前記第１ベースから見て前記第２ベースの反対側に位置しており、前記第１ベースの厚さ方向から見て複数の前記第２ベースを跨ぐ位置に貼り付けられた複数の歪ゲージと、
複数の前記第２ベースに身体が載せられたときに、複数の前記歪ゲージから前記寝具の形状データを取得するデータ取得部と、
を備える寝具用形状測定装置。
【請求項２】
前記第２ベースの前記第１ベースとの反対側に貼り付けられた圧力センサと、
前記圧力センサを覆う第１弾性部材と、
を備える請求項１に記載の寝具用形状測定装置。
【請求項３】
前記第２ベースに載せられた第２弾性部材を備える、
請求項１又は２に記載の寝具用形状測定装置。
【発明の詳細な説明】
【技術分野】
【０００１】
本発明は、被検者と寝具との間に介在し、寝具に被検者の身体が載せられたときに、身体が載せられた寝具の形状を測定する寝具用形状測定装置に関する。
【背景技術】
【０００２】
被検者の身体が載せられたときの寝具の形状を測定することは従来から行われている。被検者が載せられたときにおける寝具の形状データを取得することにより、より被検者に適した寝具の提供が可能となる。特開２００３−１３０６３４号公報には、寝具の沈み込み形状の計測方法及び計測装置が記載されている。この計測装置は、沈み込み量を計測するセンサと、インタフェースユニット及びＡＤ変換ボードを介してセンサに接続されたコンピュータとを備える。
【０００３】
センサは、基準関節片と、基準関節片から所定の方向に延びるように配列される複数の関節片とを備える。一の関節片は基準関節片に屈折可能に連結されており、他の複数の関節片のそれぞれは隣接する関節片に屈折可能に連結されている。各関節片の上面には圧力検出センサが固定されている。また、各関節片には、隣接する関節片に対する屈折角を検出する角度センサが組み込まれている。
【０００４】
検出された屈折角及び圧力のデータはコンピュータに送信される。コンピュータは、受信した屈折角と圧力のデータから、被検者の身体が載せられた寝具の形状及び体圧曲線をグラフ表示する。また、前述した基準関節片は被検者の頭部側に配置され、各関節片は基準関節片から被検者の足側に向かって複数配列される。コンピュータは、基準関節片側の関節片に対する関節片の屈折角から寝具の形状をグラフ表示する。
【先行技術文献】
【特許文献】
【０００５】
【特許文献１】特開２００３−１３０６３４号公報
【発明の概要】
【発明が解決しようとする課題】
【０００６】
前述した計測装置では、一の関節片に対する他の関節片の屈折角から寝具の形状を測定する。しかしながら、複数の関節片のそれぞれは基準関節片から連続して設けられるため、一つの関節片で屈折角の検出誤差が生じると、当該検出誤差が、他の関節片から得られた形状データにも影響する。従って、一つの関節片の検出誤差によって誤った形状が表示されることがあるため、形状を精度よく測定できないという問題がある。また、角度センサは計測装置を長期間使用し続けたときに経年劣化が生じやすいので、センサの耐久性の点においても改善の余地がある。
【０００７】
本発明は、前述した問題に鑑みてなされたものであり、形状を高精度に測定することができると共に、耐久性を高めることができる寝具用形状測定装置を提供することを目的とする。
【課題を解決するための手段】
【０００８】
本発明に係る寝具用形状測定装置は、被検者の身体と寝具との間に介在する寝具用形状測定装置であって、可撓性を有する板状の第１ベースと、第１ベースの一方側に貼り付けられた硬質の複数の第２ベースと、第１ベースから見て第２ベースの反対側に位置しており、第１ベースの厚さ方向から見て複数の第２ベースを跨ぐ位置に貼り付けられた複数の歪ゲージと、複数の第２ベースに身体が載せられたときに、複数の歪ゲージから寝具の形状データを取得するデータ取得部と、を備える。
【０００９】
この寝具用形状測定装置では、可撓性を有する板状の第１ベースの上に複数の硬質の第２ベースが設けられ、第１ベースの第２ベースとの反対側に複数の歪ゲージが貼り付けられる。複数の歪ゲージは、第１ベースの厚さ方向から見て複数の第２ベースを跨ぐ位置に貼り付けられる。よって、第１ベースを寝具に沿って配置し、複数の第２ベースの上に被検者を横たわらせた状態において、複数の歪ゲージのそれぞれが複数の第２ベースの間における第１ベースの歪みを測定することにより、寝具の形状を高精度に測定することができる。歪ゲージによって、ポテンショメータ又は角度センサよりも高精度な測定結果が得られる。また、歪ゲージは身体が載せられる第２ベースの反対側に貼り付けられており、且つ歪ゲージ自体が複数回の曲げに耐えうるものであるため、寝具用形状測定装置を長期間使用し続けても経年劣化を生じにくくすることができる。従って、寝具用形状測定装置の耐久性を高めることができる。
【００１０】
また、寝具用形状測定装置は、第２ベースの第１ベースとの反対側に貼り付けられた圧力センサと、圧力センサを覆う第１弾性部材と、を備えてもよい。この場合、各第２ベースに圧力センサが貼り付けられることにより、圧力を測定する専用の機器がなくても、この寝具用形状測定装置によって、寝具にかかる体圧分布を測定することができる。また、圧力センサを覆う第１弾性部材を備えることにより、圧力センサを第１弾性部材によって保護することができる。更に、被検者の身体は、第１弾性部材を介して圧力センサに載せられるため、被検者への違和感を低減させることができる。すなわち、被検者の身体に硬い部分が当たらないようにすることができるので、寝具用形状測定装置の使い心地を良好にすることができる。
【００１１】
また、寝具用形状測定装置は、第２ベースに載せられた第２弾性部材を備えてもよい。この場合、身体が載せられる第２ベースの上に第２弾性部材が設けられることにより、第２ベースを保護することができると共に、寝具用形状測定装置のクッション性を高めることができる。従って、被検者の身体と第２ベースとの間に第２弾性部材が介在することにより、寝具用形状測定装置の使い心地を更に良好にすることができる。
【発明の効果】
【００１２】
本発明によれば、形状を高精度に測定することができると共に、耐久性を高めることができる。
【図面の簡単な説明】
【００１３】
【図１】実施形態に係る寝具用形状測定装置を示す斜視図である。
【図２】図１の寝具用形状測定装置を示すブロック図である。
【図３】図１の寝具用形状測定装置の端部を拡大した平面図である。
【図４】図１の寝具用形状測定装置を長手方向及び厚さ方向に延びる平面で切断したときの断面図である。
【図５】図３のＶ−Ｖ線断面図である。
【図６】図１の寝具用形状測定装置から得られた寝具の形状データ及び圧力データの表示の一例を示す図である。
【発明を実施するための形態】
【００１４】
以下では、図面を参照しながら本発明に係る寝具用形状測定装置の実施形態について説明する。図面の説明において、同一又は相当する要素には同一の符号を付し、重複する説明を適宜省略する。また、図面は、理解を容易にするために一部を誇張して描いており、寸法等は図面に記載のものに限定されない。
【００１５】
本明細書において、「寝具」とは、寝具の使用者が身体を休めたり睡眠をとったりするときに使用者の身体が当てられるものであり、典型的には、布団、マットレス、枕、座布団又はクッションである。「被検者」とは、寝具に身体が当てられたときの寝具の形状、及び寝具にかかる圧力が測定される測定対象者であり、例えば、寝具の購入又は研究開発等において寝具を試すときに形状及び圧力の測定対象となる被測定者を含む。
【００１６】
本実施形態の寝具用形状測定装置１は、例えば、寝具の購入予定者等に適正な寝具を選択できる計測器であり、寝具の販売員又は寝具を選択するアドバイザー等が最適な寝具を選択可能とする装置である。寝具用形状測定装置１は、例えば、被検者の身体形状（寝具の形状）を示す形状データ、及び寝具にかかる圧力を示す圧力データを取得する。寝具用形状測定装置１は、寝具を販売する店舗で用いられてもよいし、寝具を研究開発する研究室で用いられてもよい。また、寝具用形状測定装置１は、被検者の寝姿勢を測定する装置であり、スパインフィッターとも称される。
【００１７】
図１は、寝具用形状測定装置１を示す斜視図である。図２は、寝具用形状測定装置１を示すブロック図である。図１及び図２に示されるように、寝具用形状測定装置１は、例えば、枕２及び敷き布団３の上に載せられると共に被検者の身体が載せられるセンサ部１０と、センサ部１０からのアナログ信号を受信及び伝送するインタフェースユニット２１と、インタフェースユニット２１からのアナログ信号をデジタル信号に変換するＡＤ変換ボード２２と、ＡＤ変換ボード２２からのデジタル信号を処理してデータを表示するコンピュータ２３とを備える。
【００１８】
センサ部１０は、枕２から敷き布団３まで長く延びる長尺状を成している。センサ部１０は、敷き布団３の長手方向である方向Ｄ１に長く延びるように配置される。また、センサ部１０は、敷き布団３の幅方向である方向Ｄ２に一定の幅を有する。センサ部１０は、方向Ｄ１に沿って延びるデータ検出部１１と、データ検出部１１の方向Ｄ２の両側それぞれに配置される第１弾性部１２と、データ検出部１１の方向Ｄ１の両側それぞれに配置される第２弾性部１３とを備える。センサ部１０は方向Ｄ１に長く延びる長方形状を成しており、第１弾性部１２は当該長方形の長辺、第２弾性部１３は当該長方形の短辺を成している。矩形枠状とされた第１弾性部１２及び第２弾性部１３の内側にデータ検出部１１が配置されている。
【００１９】
データ検出部１１は、方向Ｄ１に沿って配列される複数の第１弾性部材１４と、第１弾性部材１４を囲むと共に方向Ｄ１に沿って配列される複数の第２弾性部材１５とを備える。第１弾性部材１４は円形状を成しており、第２弾性部材１５は長方形状を成している。センサ部１０の表面（上面）は、第１弾性部材１４、第２弾性部材１５、第１弾性部１２及び第２弾性部１３によって形成されている。よって、被検者がセンサ部１０の上に横たわったときに被検者の身体に硬い部分が当たらないので、被検者に与える違和感を抑制することができる。
【００２０】
第１弾性部１２、第２弾性部１３、第１弾性部材１４及び第２弾性部材１５の材料は、例えば、ゴムであり、枕２及び敷き布団３の表面形状に応じて柔軟に変形する材料である。第１弾性部１２、第２弾性部１３、第１弾性部材１４及び第２弾性部材１５の厚さは、例えば、０．５ｍｍ以上且つ１．５ｍｍ以下である。また、センサ部１０の上にファブリック（布）が載せられてもよい。この場合、センサ部１０からゴムの匂いが漏れる可能性を低減させることができる。
【００２１】
図３は、センサ部１０の方向Ｄ１の両端それぞれを示す平面図である。図４は、方向Ｄ１及びセンサ部１０の厚さ方向である方向Ｄ３に延びる平面でセンサ部１０を切断したときの断面図である。図５は、図３のＶ−Ｖ線断面図である。図３〜図５に示されるように、センサ部１０は、方向Ｄ１に沿って延びる板状の第１ベース１６と、第１ベース１６の一方側（上側）に貼り付けられた硬質の複数の第２ベース１７と、第１ベース１６から見て第２ベース１７の反対側に貼り付けられた複数の歪ゲージ（ストレインゲージ）１８と、各第２ベース１７の一方側に貼り付けられた複数の圧力センサ１９と、センサ部１０の最下層に設けられる第３弾性部２０とを備える。
【００２２】
第１ベース１６は、可撓性を有する材料によって構成されており、例えば、薄い鉄板である。第１ベース１６は、高いバネ性を有しており、外力の付与によって簡単に撓むバネ板である。センサ部１０の方向Ｄ１の両端部それぞれにおいて、第１ベース１６の上側には第２弾性部１３が貼り付けられている。第１ベース１６の下側には歪ゲージ１８を介して第３弾性部２０が貼り付けられている。第３弾性部２０は、外力によって簡単に撓む弾性部材であり、例えば、薄板状のゴムである。
【００２３】
第１ベース１６の上側には複数の第２ベース１７が貼り付けられている。第２ベース１７は、硬質の材料によって構成されており、例えば、アルミニウム製である。各第２ベース１７の上側には、複数の第２弾性部材１５のそれぞれが貼り付けられている。第２ベース１７及び第２弾性部材１５の数は、例えば、３２個である。方向Ｄ３から見たときの第２ベース１７の形状は、方向Ｄ２に長く延びる長方形状とされている。例えば、第２ベース１７の方向Ｄ１の長さは２ｃｍ以上且つ５ｃｍ以下であり、第２ベース１７の方向Ｄ２の長さは５ｃｍ以上且つ１０ｃｍ以下である。
【００２４】
複数の歪ゲージ１８のそれぞれは、第１ベース１６から見て第２ベース１７の反対側に貼り付けられている。各歪ゲージ１８は、方向Ｄ３から見て複数の第２ベース１７を跨ぐ位置に貼り付けられている。歪ゲージ１８の数は、例えば、３１個である。歪ゲージ１８は、複数の第２ベース１７の間における第１ベース１６の歪みを検出し、検出した歪みをアナログ信号としてインタフェースユニット２１に出力する。各歪ゲージ１８は、方向Ｄ１に長く延びる長方形状とされている。例えば、各歪ゲージ１８の方向Ｄ１の長さは１．０ｃｍ以上且つ２．０ｃｍ以下であり、各歪ゲージ１８の方向Ｄ２の長さは０．３ｃｍ以上且つ１．５ｃｍ以下である。
【００２５】
複数の圧力センサ１９のそれぞれは、第２ベース１７の上側に貼り付けられている。圧力センサ１９は薄いフィルム状とされている。各圧力センサ１９は、各第２ベース１７に付与される被検者の身体の圧力（荷重）を検出する。各圧力センサ１９は、例えば、第２ベース１７の上面の中央に貼り付けられており、方向Ｄ３から見たときに円形状を成している。圧力センサ１９の上には第１弾性部材１４が貼り付けられており、圧力センサ１９は第１弾性部材１４によって保護されている。また、第２弾性部材１５には第１弾性部材１４を露出させる貫通孔１５ａが形成されており、圧力センサ１９の上に位置する第１弾性部材１４は貫通孔１５ａから突出するように配置されている。
【００２６】
各歪ゲージ１８からは第１信号線Ｌ１が延び出しており、各圧力センサ１９からは第２信号線Ｌ２が延び出している。第１信号線Ｌ１は、歪ゲージ１８から方向Ｄ２の一方側（図３の左側）に延びると共に、一方の第１弾性部１２及び第３弾性部２０の間を通ってインタフェースユニット２１にまで延びている。第２信号線Ｌ２は、圧力センサ１９から方向Ｄ２の他方側（図３の右側）に延びると共に、他方の第１弾性部１２及び第３弾性部２０の間を通ってインタフェースユニット２１にまで延びている。第１信号線Ｌ１及び第２信号線Ｌ２の少なくとも一部は第１弾性部１２と第３弾性部２０の間に挟み込まれている。よって、第１信号線Ｌ１及び第２信号線Ｌ２を保護することができる。また、第３弾性部２０は、第１弾性部１２及び第１ベース１６の下部に貼り付けられている。
【００２７】
第１弾性部１２、第２弾性部１３、第１弾性部材１４、第２弾性部材１５、第１ベース１６、第２ベース１７、歪ゲージ１８及び圧力センサ１９のそれぞれの貼り付けには、例えば、接着剤が用いられる。センサ部１０の各部品が接着剤によって固定されることにより、センサ部１０を容易に製作することができる。接着剤としては、例えば、セメダイン（登録商標）又はスーパーＸ（登録商標）が用いられる。
【００２８】
各歪ゲージ１８によって検出された歪みの検出信号は第１信号線Ｌ１を通ってインタフェースユニット２１に出力され、各圧力センサ１９によって検出された圧力の検出信号は第２信号線Ｌ２を通ってインタフェースユニット２１に出力される。第１信号線Ｌ１の本数は歪ゲージ１８の個数と一致しており、第２信号線Ｌ２の本数は圧力センサ１９の個数と一致している。本実施形態では、第１信号線Ｌ１の本数は３１本であり、第２信号線Ｌ２の本数は３２本である。
【００２９】
インタフェースユニット２１は、第１信号線Ｌ１及び第２信号線Ｌ２を束ねるユニットであり、図２に示されるように、インタフェースユニット２１のセンサ部１０との反対側の端部はＡＤ変換ボード２２に接続されている。ＡＤ変換ボード２２は、インタフェースユニット２１とコンピュータ２３の間に設けられており、インタフェースユニット２１からのアナログ信号をデジタル信号に変換してコンピュータ２３に出力する。
【００３０】
コンピュータ２３は、無線通信によってＡＤ変換ボード２２に接続されている。コンピュータ２３とＡＤ変換ボード２２との間の無線通信の規格は、例えば、Ｂｌｕｅｔｏｏｔｈ（登録商標）であるが、Ｂｌｕｅｔｏｏｔｈ（登録商標）以外の通信規格であってもよい。なお、コンピュータ２３は有線通信によってＡＤ変換ボード２２に接続されていてもよい。
【００３１】
コンピュータ２３は、例えば、パーソナルコンピュータであってもよいし、タブレット又は携帯端末等の端末機器であってもよい。コンピュータ２３は、ＡＤ変換ボード２２から、歪ゲージ１８による枕２及び敷き布団３の形状データ、及び圧力センサ１９による枕２及び敷き布団３への圧力データをデジタル信号として受信する。すなわち、コンピュータ２３は、ＡＤ変換ボード２２からデジタルデータを受信することによって、各歪ゲージ１８が検出した歪みの値、及び各圧力センサ１９が検出した圧力の値を取得する。
【００３２】
コンピュータ２３は、歪ゲージ１８からの形状データ、及び圧力センサ１９からの圧力データを取得するデータ取得部である。コンピュータ２３は、形状データ及び圧力データを表示するディスプレイ２３ａを備えており、ディスプレイ２３ａに取得したデータを表示する。例えば、コンピュータ２３は、各歪ゲージ１８が検出した歪みの値、及び各圧力センサ１９が検出した圧力の値、を数値としてディスプレイ２３ａに表示してもよい。
【００３３】
図６は、コンピュータ２３が取得したデータのディスプレイ２３ａへの表示の例を示す図である。図６の例では、縦軸が枕２及び敷き布団３の上面の高さ及び圧力の大きさを示し、横軸が枕２及び敷き布団３の変位を示すグラフがディスプレイ２３ａに表示される。このグラフでは、横軸の変位の値が小さい側（左側）が頭部側（枕２側）を示し、横軸の変位の値が大きい側（右側）が足側を示している。
【００３４】
図６に示されるように、コンピュータ２３は、形状データを曲線Ｂとして表示すると共に、圧力データを曲線Ｂから上方に突出する領域Ａとして表示している。領域Ａが存在する変位の箇所には圧力がかかっており、領域Ａが存在しない変位の箇所には圧力がかかっていない（身体が寝具から浮いている）ことを示している。この表示方法により、枕２及び敷き布団３の形状と圧力分布とを一目で容易に把握することができ、枕２及び敷き布団３の沈み込み具合を一目で容易に把握することができる。
【００３５】
次に、寝具用形状測定装置１から得られる作用効果についてより詳細に説明する。図４に示されるように、寝具用形状測定装置１では、可撓性を有する板状の第１ベース１６の上に複数の硬質の第２ベース１７が設けられ、第１ベース１６の第２ベース１７との反対側に複数の歪ゲージ１８が貼り付けられる。複数の歪ゲージ１８は、第１ベース１６の厚さ方向である方向Ｄ３から見て複数の第２ベース１７を跨ぐ位置に貼り付けられる。
【００３６】
よって、第１ベース１６を枕２及び敷き布団３に沿って配置し、複数の第２ベース１７の上に被検者を横たわらせた状態において、複数の歪ゲージ１８のそれぞれが複数の第２ベース１７の間における第１ベース１６の歪みを測定することにより、被検者の身体が載せられた枕２及び敷き布団３の形状を高精度に測定することができる。歪ゲージ１８によって、ポテンショメータ又は角度センサよりも高精度な測定結果が得られる。また、歪ゲージ１８は身体が載せられる第２ベース１７の反対側に貼り付けられており、且つ歪ゲージ１８自体が複数回の曲げに耐えうるものであるため、寝具用形状測定装置１を長期間使用し続けても経年劣化を生じにくくすることができる。従って、寝具用形状測定装置１の耐久性を高めることができる。
【００３７】
また、寝具用形状測定装置１は、第２ベース１７の第１ベース１６との反対側に貼り付けられた圧力センサ１９と、圧力センサ１９を覆う第１弾性部材１４と、を備える。よって、各第２ベース１７に圧力センサ１９が貼り付けられることにより、圧力を測定する専用の機器（例えばエルゴチェック）がなくても、寝具用形状測定装置１によって、枕２及び敷き布団３にかかる体圧分布を測定することができる。
【００３８】
また、圧力センサ１９を覆う第１弾性部材１４を備えることにより、圧力センサ１９を第１弾性部材１４によって保護することができる。更に、被検者の身体は、第１弾性部材１４を介して圧力センサ１９に載せられる。よって、被検者の身体に硬い部分が当たらないようにすることができるので、被検者への違和感を低減させることができる。従って、寝具用形状測定装置１の使い心地を良好にすることができる。
【００３９】
また、寝具用形状測定装置１は、第２ベース１７に載せられた第２弾性部材１５を備える。よって、身体が載せられる第２ベース１７の上に第２弾性部材１５が設けられることにより、第２ベース１７を保護することができると共に、寝具用形状測定装置１のクッション性を高めることができる。従って、被検者の身体と第２ベース１７との間に第２弾性部材１５が介在することにより、被検者の身体に硬い部分が当たることを一層確実に抑制できる。よって、寝具用形状測定装置１の使い心地を更に良好にすることができる。
【００４０】
以上、本発明に係る寝具用形状測定装置の実施形態について説明したが、本発明は、前述した実施形態に限られるものではなく、各請求項に記載した要旨を変更しない範囲で変形してもよい。すなわち、本発明に係る寝具用形状測定装置の各部の構成は、前述した実施形態に限定されず、適宜変更することが可能である。
【００４１】
例えば、前述した実施形態では、方向Ｄ１に長く延びる長方形状の歪ゲージ１８について説明した。しかしながら、歪ゲージの形状、大きさ及び種類は、適宜変更可能である。圧力センサ、インタフェースユニット、ＡＤ変換ボード及びコンピュータの種類についても適宜変更可能である。
【００４２】
また、前述した実施形態では、圧力センサ１９を備えたセンサ部１０について説明した。しかしながら、寝具用形状測定装置は、圧力センサを有しないセンサ部を備えていてもよい。この場合、寝具用形状測定装置によって高精度な形状データを取得すると共に、エルゴチェックによって高精度な体圧分散データを取得してもよい。このように、寝具用形状測定装置及びエルゴチェックを用いた場合であっても、高精度な形状データ及び体圧分散データによってより良い寝具の提案が可能となり、購入予定者等により良い寝具の提供サービスを行うことが可能となる。
【００４３】
また、前述した実施形態では、第１ベース１６が鉄製であり、第２ベース１７がアルミニウム製である例について説明した。しかしながら、第１ベース及び第２ベースの材料、形状、数、大きさ及び配置態様については適宜変更可能である。例えば、第１ベースは銅板、アルミニウム板、又は樹脂板であってもよいし、第２ベースはアルミニウム以外の硬質材料によって構成されていてもよい。但し、第２ベースがアルミニウム製である場合には、第２ベースが鉄製である場合等と比較して、寝具用形状測定装置を軽量にすることができる。
【００４４】
また、前述した実施形態では、寝具用形状測定装置１のセンサ部１０がデータ検出部１１、第１弾性部１２及び第２弾性部１３を備え、データ検出部１１が第１弾性部１２と第２弾性部１３に囲まれるように配置される例について説明した。しかしながら、寝具用形状測定装置のセンサ部のデータ検出部、第１弾性部及び第２弾性部の配置、数、材料、形状及び大きさは適宜変更可能である。
【００４５】
また、前述した実施形態では、第１弾性部１２、第２弾性部１３、第１弾性部材１４、第２弾性部材１５及び第３弾性部２０がゴム製である例について説明した。しかしながら、第１弾性部、第２弾性部、第１弾性部材、第２弾性部材及び第３弾性部の材料は、ゴム以外の弾性材料であってもよく適宜変更可能である。更に、前述した実施形態では、円形状の第１弾性部材１４、及び長方形状の第２弾性部材１５について説明したが、第１弾性部材及び第２弾性部材の形状、大きさ、材料、数及び配置態様は適宜変更可能である。また、第１弾性部材又は第２弾性部材を省略することも可能である。
【００４６】
また、前述した実施形態では、第１弾性部１２、第２弾性部１３、第１弾性部材１４及び第２弾性部材１５が表面に露出する寝具用形状測定装置１について説明した。この第１弾性部１２、第２弾性部１３、第１弾性部材１４及び第２弾性部材１５のデザイン性を高めて寝具用形状測定装置１を展示用として兼用してもよい。
【００４７】
また、前述した実施形態では、第２ベース１７が第１ベース１６の上側、歪ゲージ１８が第１ベース１６の下側に向けられた状態で寝具用形状測定装置１が枕２及び敷き布団３の上に載せられる例について説明した。しかしながら、例えば、第２ベース１７が第１ベース１６の下側、歪ゲージ１８が第１ベース１６の上側に向けられた状態で使用されてもよく、寝具の上に載せられる寝具用形状測定装置１の向き及び配置は適宜変更可能である。
【００４８】
また、前述した実施形態では、寝具用形状測定装置１のセンサ部１０が枕２及び敷き布団３の上に載せられる例について説明した。しかしながら、寝具用形状測定装置のセンサ部は、例えば、マットレス、ベッドパッド又はシート等、枕及び敷き布団以外の寝具に載せることも可能である。
【符号の説明】
【００４９】
１…寝具用形状測定装置、２…枕、３…敷き布団、１０…センサ部、１１…データ検出部、１２…第１弾性部、１３…第２弾性部、１４…第１弾性部材、１５…第２弾性部材、１５ａ…貫通孔、１６…第１ベース、１７…第２ベース、１８…歪ゲージ、１９…圧力センサ、２０…第３弾性部、２１…インタフェースユニット、２２…ＡＤ変換ボード、２３…コンピュータ（データ取得部）、２３ａ…ディスプレイ、Ａ…領域、Ｄ１，Ｄ２，Ｄ３…方向、Ｌ１…第１信号線、Ｌ２…第２信号線。
【図１】
2019056675.tif 000003
【図２】
2019056675.tif 000004
【図３】
2019056675.tif 000005
【図４】
2019056675.tif 000006
【図５】
2019056675.tif 000007
【図６】
2019056675.tif 000008